(57)【要約】【課題】携帯電話の利用者が、携帯電話に内蔵されている近接型非接触通信部を読み取り装置に正しくかつ、手間取ることなく翳すことができる携帯電話を提供する。【解決手段】筐体１１に内蔵され、かつ、筐体１１の背面１２から発信する近接型非接触通信部１３を有し、背面１２を読み取り装置の受信部に翳すことにより近接型非接触通信部１３から発信された情報を受信させる携帯電話１である。この携帯電話１は、筐体１１における背面１２以外の面である上面１６に近接型非接触通信部１３の発信位置を示す表示手段である突部１７が設けられている。【選択図】  図１
2006157801.tif 000002
【特許請求の範囲】
【請求項１】
筐体に内蔵され、かつ、前記筐体の背面から発信する近接型非接触通信部を有し、前記背面を読み取り装置の受信部に翳すことにより前記近接型非接触通信部から発信された情報を受信させる携帯端末であって、
前記筐体における前記背面以外の面に前記近接型非接触通信部の発信位置を示す表示手段が設けられていることを特徴とする携帯端末。
【請求項２】
前記表示手段が、前記筐体における前記背面と反対側の面に設けられていることを特徴とする請求項１に記載した携帯端末。
【請求項３】
前記表示手段が、前記筐体における前記背面に隣り合う側部に設けられていることを特徴とする請求項１に記載した携帯端末。
【発明の詳細な説明】
【技術分野】
【０００１】
本発明は、携帯電話などに好適な携帯端末に関する。
【背景技術】
【０００２】
携帯電話機は、単なる通話手段にとどまらず、最近は情報端末としての側面の比重が増している。
携帯電話機には、既にオンライン端末として利用可能な機種があり、決済機能を付加した機種も提供されている。また、携帯電話機の内蔵メモリにセキュリティ情報を登録しておき、入退室の管理を行うことも検討されている。
【０００３】
一方、個人情報や信用情報の担持手段として利用可能な機種も提案されている。このような情報把持手段として利用する機種では、情報読み取りに電気的接触を要しない非接触通信技術が広く使われている。
非接触型の通信技術を用いた携帯電話は、内蔵されているアンテナを、外部の読み取り装置にかざすことにより、情報を読み取るように構成されている。
【特許文献１】特開平２００２−２１８０３１号公報
【特許文献２】特開平２００３−２１６８９９号公報
【発明の開示】
【発明が解決しようとする課題】
【０００４】
しかしながら、従来の非接触通信技術を用いた携帯電話では、携帯電話に内蔵されているアンテナの位置が、利用者に分かりにくいため、アンテナから外れた部分を読み取り装置にかざすなど、情報読み取りに手間取るなどの問題があった。このような問題は、携帯電話に限らず、各種の携帯端末に共通して発生する。
【０００５】
本発明は、このような問題に鑑みてなされたもので、携帯端末の利用者が内蔵されているアンテナを読み取り装置に正しく、かつ、手間取ることなく簡単に翳すことができる携帯端末を提供するものである。
【課題を解決するための手段】
【０００６】
本発明は、筐体に内蔵され、かつ、前記筐体の背面から発信する近接型非接触通信部を有し、前記背面を読み取り装置の受信部に翳すことにより前記近接型非接触通信部から発信された情報を受信させる携帯端末であって、
前記筐体における前記背面以外の面に前記近接型非接触通信部の発信位置を示す表示手段が設けられていることを特徴とする。
【０００７】
上記の携帯端末としては、携帯電話を例示できる。利用者が携帯端末の背面を読み取り装置に翳したときには、利用者から背面が見にくくなるが、背面以外の面は見やすくなる。本発明では、この背面以外の面に近接型非接触通信部の位置を示す表示手段が設けられているので、利用者がこの表示手段を目安として、近接型非接触通信部の発信位置を読み取り装置に正しく翳すことができる。
【０００８】
ここで、前記表示手段が、前記筐体における前記背面と反対側の面に設けられているように構成できる。
また、前記表示手段が、前記筐体における前記背面に隣り合う側部に設けられているように構成できる。
【発明の効果】
【０００９】
本発明によれば、携帯電話の利用者が近接型非接触通信部の設けられている背面を読み取り装置にかざすときに、背面以外の利用者が見やすい面に設けられている表示部によって、近接型非接触通信部の位置を確実に認識できるので、近接型非接触通信部を読み取り装置に確実に翳すことができ、携帯電話に記憶されている各種の情報を手間取ることなく迅速に読み取ることができる。
【発明を実施するための最良の形態】
【００１０】
以下、本発明に係る携帯電話の実施形態を図面を参照して詳細に説明する。
（第１実施形態）
図１および図２は、本発明に係る携帯電話１を示す。この携帯電話１は、折り畳み型であり、筐体１１と、この筐体１１に内蔵され、かつ、筐体１１の背面１２から発信する近接型非接触通信部１３とを有している。近接型非接触通信部１３としてはアンテナモジュールを例示できる。
【００１１】
そして、背面１２の近接型非接触通信部１３が設けられている部分を、読み取り装置１４（図５参照）の受信部１５に翳すことにより、近接型非接触通信部１３の情報を受信させるように構成されている。
【００１２】
また、この携帯電話１は、筐体１１における背面１２以外の面である上面１６に近接型非接触通信部１３の発信位置を示す表示手段としての突部１７が設けられている。
【００１３】
本例では、上記の突部１７が、筐体１１における背面１２と反対側の面、すなわち、上筐体１１ａの上面１６に設けられている。
【００１４】
次に、上記の各構成要素について説明する。筐体１１は、上筐体１１ａと、下筐体１１ｂと、ヒンジ部１１ｃとを有している。上筐体１１ａと下筐体１１ｂとは、ヒンジ部１１ｃによって開閉自在（折り畳み自在）に連結されている。
【００１５】
また、本例では、突部１７が半球状に突出している。この突部１７は、図３に示すように、上下筐体１１ａ，１１ｂを折り畳んだときに、近接型非接触通信部１３と整合する位置に配置される。
【００１６】
すなわち、携帯電話１を立てて、上筐体１１ａおよび下筐体１１ｂの長手方向Ｘを鉛直方向に沿って配置した際に、突部１７の中心と近接型非接触通信部１３の中心とが同一水平面に略一致して配置されるように構成されている。
【００１７】
図４は、上下筐体１１ａ，１１ｂを開いた状態を示す。上筐体１１ａの内面１８には、ＬＣＤ（液晶ディスプレイ）などの表示部１９が設けられている。下筐体１１ｂの内面２０には、各種の押しボタン２１が設けられている。
【００１８】
次に、この携帯電話１の作用を説明する。携帯電話１に記憶されている情報を読み取る場合は、図５に示すように、上筐体１１ａを上にし、下筐体１１ｂを下にして、下筐体１１ｂにおける背面１２の近接型非接触通信部１３が設けられている部分を、読み取り装置１４の受信部１５に近接させて翳す。
【００１９】
この際に、利用者は、上筐体１１ａの上面１６に設けられている突部１７を目安にして、この突部１７が読み取り装置１４の受信部１５の直上、すなわち突起１７が矩形状の受信部１５における中心を通過する仮想的な中心線１５ａの真上にくるようにする。
これにより、近接型非接触通信部１３の発信位置を読み取り装置１４の受信部１５上に正確に、かつ、手間取ることなく簡単に翳すことができる。
【００２０】
（第２実施形態）
図６は、本発明に係る第２実施形態の携帯電話２を示す。なお、以下の説明においては、それ以前に説明したのと同様な部分には、同一の符号を付けてその説明を省略する。
【００２１】
この携帯電話２は、ストレート型であり、比較的薄く形成された直方体状の筐体３１と、この筐体３１に内蔵され、かつ、筐体３１の背面３２から発信する近接型非接触通信部１３とを有している。
【００２２】
また、この携帯電話２は、筐体３１における背面３２以外の面、本例では筐体３１の上面３６に近接型非接触通信部１３の発信位置を示す表示手段としての突部１７が設けられている。筐体３１の上面３６には、表示部１９，押しボタン２１などが設けられている。  この携帯電話２は、第１実施形態の携帯電話１と同様の作用効果を有している。
【００２３】
（第３実施形態）
図７は、本発明に係る第３実施形態の携帯電話４を示す。この携帯電話４は、第１実施形態の携帯電話１と同様の折り畳み型携帯電話である。
【００２４】
この携帯電話４は、第１実施形態の上下筐体１１ａ，１１ｂと略同様な上下筐体４１ａ，４１ｂを有する筐体４１が設けられている。下筐体４１ｂの背面４２側には、近接型非接触通信部１３と、表示手段である半円状の凹部４７が設けられている。
【００２５】
この凹部４７は、下筐体４１ｂにおける背面４２に隣り合う両側部に設けられている。
そして、図７に示すように、近接型非接触通信部１３は、凹部４７，４７の中心同士を結ぶ水平中心線１３ａ上に配置されている。
また、図８に示すように、これらの凹部４７，４７の中心は、近接型非接触通信部１３の水平中心線１３ｂ上に配置されている。
【００２６】
これらの凹部４７，４７は、図９に示すように、上筐体４１ａの両側部にも設けられている。上下筐体４１ａ，４１ｂを閉じたときには、上下筐体４１ａ，４１ｂの凹部４７，４７が互いに整合配置される。
【００２７】
この携帯電話４では、近接型非接触通信部１３を読み取り装置１４の受信部１５（図５参照）に翳すときに、上下筐体４１ａ，４１ｂを閉じて、両側部の凹部４７，４７間の略中心部を、受信部１５の略直上に配置する。
これにより、近接型非接触通信部１３の発信位置を受信部１５上に正確に、かつ、手間取ることなく簡単に翳すことができる。
【００２８】
（第４実施形態）
図１０は、本発明に係る第４実施形態の携帯電話５である。この携帯電話５は、ストレート型であり、比較的薄く形成された直方体状の筐体５１を有している。
【００２９】
この筐体５１の、背面５２側には、近接型非接触通信部１３が設けられている。また、背面５２に隣接する両側部５３，５３には、凹部５７，５７が設けられている。
【００３０】
携帯電話５に記憶された情報を読み取る場合は、その両側部５３，５３に設けられた凹部５７，５７間の中心同士を結ぶ水平中心線５８を受信部１５の略直上に配置する。
これにより、近接型非接触通信部１３の発信位置を受信部１５上に正確に、かつ、手間取ることなく翳すことができる。
【００３１】
なお、上記の第１実施形態から第４実施形態では、本発明を携帯電話に適用した場合について説明したが、本発明は携帯電話に限らず各種の携帯端末に適用できる。
【図面の簡単な説明】
【００３２】
【図１】本発明に係る第１実施形態の携帯電話を示す側面図であり、上下筐体を閉じた状態を示す図である。
【図２】本発明に係る第１実施形態の携帯電話を示す斜視図であり、上下筐体を閉じた状態を示す図である。
【図３】本発明に係る第１実施形態の携帯電話を示す側面図であり、図１のＡ矢視図である。
【図４】本発明に係る第１実施形態の携帯電話を示す斜視図であり、上下筐体を開いた状態を示す図である。
【図５】本発明に係る第１実施形態の携帯電話を読み取り装置に翳した状態を示す斜視図である。
【図６】本発明に係る第２実施形態の携帯電話を示す斜視図である。
【図７】本発明に係る第３実施形態の携帯電話を示す正面図であり、上下筐体を開いた状態を示す図である。
【図８】本発明に係る第３実施形態の携帯電話を示す斜視図であり、図７のＢ矢視図である。
【図９】本発明に係る第３実施形態の携帯電話を示す斜視図であり、上下筐体を閉じた状態を示す図である。
【図１０】本発明に係る第４実施形態の携帯電話を示す斜視図である。
【符号の説明】
【００３３】
１，２，４，５  携帯電話（携帯端末）
１１    筐体
１１ａ  上筐体
１１ｂ  下筐体
１１ｃ  ヒンジ部
１２    背面
１３    近接型非接触通信部
１３ａ、１３ｂ  中心線
１４  読み取り装置
１５  受信部
１６  上面
１７  突部
１８  内面
１９  表示部
２０  内面
２１  押しボタン
３１  筐体
３２  背面
３６  上面
４１  筐体
４１ａ  上筐体
４１ｂ  下筐体
４２  背面
４７  凹部
５１  筐体
５２  背面
５３  側部
５７  凹部
【図１】
2006157801.tif 000003
【図２】
2006157801.tif 000004
【図３】
2006157801.tif 000005
【図４】
2006157801.tif 000006
【図５】
2006157801.tif 000007
【図６】
2006157801.tif 000008
【図７】
2006157801.tif 000009
【図８】
2006157801.tif 000010
【図９】
2006157801.tif 000011
【図１０】
2006157801.tif 000012